(57)【要約】【課題】原稿カバーを開けるときに原稿カバーと筐体との隙間から原稿が落下することを防止する画像読み取り装置を提供する。【解決手段】原稿を走査し原稿の光学像を表す画像データを出力するイメージスキャナ１０において、原稿を載置するための透明な原稿台２２を有する筐体２０と、筐体２０に揺動自在に連結され原稿台２２を覆う原稿カバー５０と、所定の間隔をおいて原稿カバー５０の外周部５４と筐体２０の原稿台２２側とを連結し、筐体２０に対し原稿カバー５０を揺動自在に支持するヒンジ６０支持部材とを備え、ヒンジ６０の間に位置する原稿カバー５０の外周部５４に、外周部５４から原稿カバー５０の裏側に突出する原稿落下防止部５６を設けている。【選択図】      図１
2005012246.tif 000002
【特許請求の範囲】
【請求項１】
原稿を走査し前記原稿の光学像を表す画像データを出力する画像読み取り装置において、
前記原稿を載置するための透明な原稿台を有する筐体と、
前記原稿に当接する当接面を有し、前記筐体に揺動自在に連結され前記原稿台を覆う原稿カバーと、
前記原稿カバーの外周部と前記筐体の前記原稿台側とを連結し、前記筐体に対し前記原稿カバーを揺動自在に支持する支持部材とを備え、
前記原稿カバーを開けたとき重力落下方向に位置する前記当接面の外側の前記原稿カバーに前記原稿カバーの裏側に突出する原稿落下防止部材を設けていることを特徴とする画像読み取り装置。
【請求項２】
前記原稿落下防止部材は前記当接面よりも前記原稿カバーの裏側に突出していることを特徴とする請求項１記載の画像読み取り装置。
【請求項３】
前記原稿台に載置した原稿に当接する当接面を有し、柔軟性を有する原稿マットが前記原稿カバーの裏側に設けられており、前記原稿落下防止部材は、前記原稿カバーを開けたとき重力落下方向に位置する前記原稿マットの外側の前記原稿カバーに設けられていることを特徴とする請求項１または２記載の画像読み取り装置。
【請求項４】
前記原稿落下防止部材は、前記原稿カバーの前記支持部材側に位置する前記外周部に設けられていることを特徴とする請求項１から３のいずれか一項記載の画像読み取り装置。
【請求項５】
前記支持部材は互いに離間して前記原稿カバーの前記外周部と前記筐体の前記原稿台側とを連結しており、前記原稿落下防止部材は少なくとも互いに離間した前記支持部材の間に複数設けられていることを特徴とする請求項４記載の画像読み取り装置。
【請求項６】
前記支持部材は互いに離間して前記原稿カバーの前記外周部と前記筐体の前記原稿台側とを連結しており、前記原稿落下防止部材は少なくとも互いに離間した前記支持部材の間のほぼ全域に連続して設けられていることを特徴とする請求項４記載の画像読み取り装置。
【発明の詳細な説明】
【０００１】
【発明の属する技術分野】
本発明は、原稿台に載置された原稿を走査し、原稿の光学像を表す画像データを出力する画像読み取り装置に関する。
【０００２】
【従来の技術】
従来のフラットベッド型イメージスキャナとして図７および図８に示すものが知られている。図７および図８に示すイメージスキャナ２００の筐体２０２は原稿を載置する透明な原稿台２０４を有している。原稿カバー２１０の外周部２１２と筐体２０２の原稿台２０４側とは、所定の間隔をおいて設置されているヒンジ２２０により連結されている。原稿カバー２１０はヒンジ２２０により筐体２０２に対し揺動自在に支持されている。原稿カバー２１０の裏側に原稿台２０４を覆う原稿マット２１４が装着されている。
【０００３】
しかしながら図７および図８に示すような構成のイメージスキャナ２００では、原稿２３０の厚みが薄く軽いと、原稿カバー２１０を開けるときに原稿マット２１４に原稿２３０が吸い付き、原稿台２２４から原稿２３０が離れることがある。原稿マット２１４に吸い付いた原稿２３０は原稿カバー２１０が開くにつれて自重により原稿マット２１４に沿って滑り落ち、原稿のサイズによっては原稿カバー２１０の外周部２１２と筐体２０２との間においてヒンジ２２０の間に形成された隙間３００から落下する。
【０００４】
図７および図８に示すイメージスキャナに対し、特許文献１、特許文献２には、原稿カバーを開けるときに原稿カバーと筐体の隙間から原稿が落下することを防止する原稿落下防止機構を備える画像読み取り装置が開示されている。特許文献１、特許文献２では、図７および図８に示すイメージスキャナと同様に、所定の間隔を置いて設置されたヒンジにより原稿カバーが揺動自在に支持されている。
【０００５】
【特許文献１】
特開平１０−２０４１６号公報
【特許文献２】
特開２０００−７５４２３号公報
【０００６】
【発明が解決しようとする課題】
しかしながら、特許文献１および特許文献２では、原稿載置側の筐体に原稿の落下を防止するための構成を設けているので、原稿カバーに吸い付けられ原稿カバーが開く途中で原稿カバーから離れた原稿を原稿落下防止機構で係止し、原稿カバーと筐体の隙間から原稿が落下することを防止できるが、原稿カバーに吸い付けられ原稿が原稿カバーに沿って滑り落ちる場合、原稿カバーと筐体との間においてヒンジの間に形成された隙間から原稿が落下する恐れがある。特許文献１の図１および特許文献２の図１に示すように、筐体が原稿カバーの後方に延びている場合も、原稿カバーを開く途中で原稿が原稿カバーに沿って滑り落ちると、原稿カバーと筐体との間に形成された隙間から原稿が落下する恐れがある。
本発明はこのような問題を解決するためになされたものであり、原稿カバーを開けるときに原稿カバーと筐体との隙間から原稿が落下することを防止する画像読み取り装置を提供することを目的とする。
【０００７】
【課題を解決するための手段】
本発明の画像読み取り装置は、原稿を走査し前記原稿の光学像を表す画像データを出力する画像読み取り装置において、前記原稿を載置するための透明な原稿台を有する筐体と、前記原稿に当接する当接面を有し、前記筐体に揺動自在に連結され前記原稿台を覆う原稿カバーと、前記原稿カバーの外周部と前記筐体の前記原稿台側とを連結し、前記筐体に対し前記原稿カバーを揺動自在に支持する支持部材とを備え、前記原稿カバーを開けたとき重力落下方向に位置する前記当接面の外側の前記原稿カバーに前記原稿カバーの裏側に突出する原稿落下防止部材を設けていることを特徴とする。ここで原稿カバーの裏側とは、原稿カバーが原稿台を覆うときに原稿カバーが原稿台と向き合う側を意味している。原稿落下防止部材は、原稿カバーを開けたとき重力落下方向に位置する原稿カバーの当接面の外側に設けられ原稿カバーの裏側に突出しているので、原稿カバーを開けるときに原稿台の当接面に原稿が吸い付けられ原稿カバーの当接面に沿って原稿が落下するときに、原稿落下防止部材で原稿を係止できる。したがって、原稿カバーと筐体との隙間から原稿が落下することを防止できる。
さらに本発明の画像読み取り装置では、前記原稿落下防止部材は前記当接面よりも前記原稿カバーの裏側に突出していることを特徴とする。したがって、原稿カバーの当接面に沿って滑り落ちる原稿を原稿落下防止部材で確実に係止できる。
【０００８】
さらに本発明の画像読み取り装置では、前記原稿台に載置した原稿に当接する当接面を有し、柔軟性を有する原稿マットが前記原稿カバーの裏側に設けられており、前記原稿落下防止部材は、前記原稿カバーを開けたとき重力落下方向に位置する前記原稿マットの外側の前記原稿カバーに設けられていることを特徴とする。柔軟性を有する原稿マットは原稿台に載置された原稿の全体と当接するので、原稿カバーを閉じているときには原稿マットが原稿の移動を防止できる反面、原稿カバーを開くときには原稿マットに原稿が吸い付けられ原稿台から原稿が離れ易い。しかし、原稿落下防止部材は、原稿カバーを開けたとき重力落下方向に位置する原稿マットの外側の原稿カバーに原稿カバーの裏側に突出して設けられているので、原稿マットに吸い付けられ原稿マットの当接面に沿って滑り落ちる原稿を原稿落下防止部材で係止できる。
【０００９】
さらに本発明の画像読み取り装置では、前記原稿落下防止部材は、前記原稿カバーの前記支持部材側に位置する前記外周部に設けられていることを特徴とする。原稿と当接する原稿カバーの当接面から原稿落下防止部材を極力離すことができるので、原稿カバーが原稿台を覆うときに原稿落下防止部材が原稿台と干渉することを防止できる。
【００１０】
さらに本発明の画像読み取り装置では、前記支持部材は互いに離間して前記原稿カバーの前記外周部と前記筐体の前記原稿台側とを連結しており、前記原稿落下防止部材は少なくとも互いに離間した前記支持部材の間に複数設けられていることを特徴とする。筐体に対し原稿カバーを揺動可能に支持する支持部材の間に１箇所ではなく原稿落下防止部材を複数設けるので、支持部材と原稿落下防止部材との間隔、ならびに原稿落下防止部材同士の間隔が狭くなる。したがって、小さな原稿であっても原稿落下防止部材で係止できる。
【００１１】
さらに本発明の画像読み取り装置では、前記支持部材は互いに離間して前記原稿カバーの前記外周部と前記筐体の前記原稿台側とを連結しており、前記原稿落下防止部材は少なくとも互いに離間した前記支持部材の間のほぼ全域に連続して設けられていることを特徴とする。支持部材と原稿落下防止部材との間隔を殆どなくすことができるので、小さな原稿であっても原稿落下防止部材で係止できる。
【００１２】
【発明の実施の形態】
以下、本発明の実施の形態を示す複数の実施例を図に基づいて説明する。図１から図６に示すのは本発明の実施例を説明するための模式図であり、各部材の実際の寸法比とは異なっている。
（第１実施例）
本発明による画像読み取り装置の第１実施例としてのイメージスキャナ１０を図１に示す。イメージスキャナ１０は、直方体の筐体２０の上面に原稿台２２を備えた所謂フラットベッド型である。原稿台２２は概ね矩形のガラス板等の透明板で形成され、その盤面２４上に印刷文書、写真、書籍等の原稿が載置される。
【００１３】
図２に示すように、キャリッジ３０は、原稿台２２の盤面２４と平行に矢印Ｘ、Ｙに沿って往復移動自在に筐体２０に収容されている。キャリッジ３０は光学系３２とイメージセンサ４０を搭載している。キャリッジ３０は原稿台２２の盤面２４に対し平行な図示しないガイド用のシャフトにスライド自在に支持されている。ガイド用のシャフトの長手方向軸は図２の矢印Ｘ、Ｙ方向に延伸している。キャリッジ３０は例えばベルトにより牽引されて光学系３２およびイメージセンサ４０を図２の矢印Ｘ、Ｙ方向に運搬する。
【００１４】
光学系３２は、反射原稿用光源３４、ミラー３６、集光レンズ３８等で構成されている。反射原稿用光源３４は蛍光管ランプ等の管照明装置から構成されている。反射原稿用光源３４は、その長手方向軸がイメージセンサ４０の長手方向軸と平行に延びるようにキャリッジ３０に搭載されている。反射原稿用光源３４により照射された原稿１００の主走査線上の反射光像はミラー３６および集光レンズ３８によりイメージセンサ４０に結像される。
【００１５】
図１に示すように、原稿カバー５０は支持部材としてのヒンジ６０により、Ｘ、Ｙ方向に揺動自在に筐体２０と連結されている。原稿カバー５０は原稿台２２を覆い、原稿台２２に載置される原稿を押さえるものである。原稿カバー５０は、ほぼ矩形のカバー本体５２と、原稿落下防止部材５６と、原稿マット５８とを有している。原稿落下防止部材５６は、カバー本体５２の原稿台２２側の外周部５４に原稿カバー５０の裏側に突出するようにカバー本体５２と一体に樹脂成形されている。原稿落下防止部材５６は、所定の間隔をおいて設置されたヒンジ６０の間のほぼ全域にわたりヒンジ６０側の外周部５４に沿って形成されている。図１の（Ｂ）に示すように、原稿カバー５０の裏側に突出する原稿落下防止部材５６の先端は、原稿１００と当接する原稿マット５８の当接面５９の仮想延長面１１０よりも原稿カバー５０の裏側に突出している。
【００１６】
原稿マット５８は柔軟性を有しており、原稿カバー５０に装着されている。原稿マット５８は全閉状態において原稿台２２に載置された原稿１００を原稿台２２に密着させるように押さえる。
ヒンジ６０は、原稿カバー５０の長手方向両端部側に所定の間隔をおいて設置されている。図４に示すように、ヒンジ６０は原稿台２２に対して概ね垂直な全開位置で原稿カバー５０を停止できる。
【００１７】
次に、原稿カバー５０を開くときの作動について説明する。
図２に示すように、原稿台２２に原稿１００を載置し、原稿カバー５０で原稿１００を覆っている全閉状態において、原稿マット５８は原稿１００全体に当接している。原稿１００の読み取りが終了すると、図３および図４に示すように原稿カバー５０を開く。このとき、原稿１００の厚みが薄く軽いと、原稿１００は原稿マット５８に吸い付けられ原稿台２２から離れる。原稿１００の重量にもよるが、原稿カバー５０が開くにしたがい、原稿１００は自重により原稿マット５８に沿って滑り落ちる。本実施例では、カバー本体５２の原稿台２２側の外周部５４から原稿カバー５０の裏側である原稿台２２側に突出する原稿落下防止部材５６が原稿カバー５０に形成されているので、原稿マット５８に沿って滑る落ちる原稿１００は原稿落下防止部材５６に係止される。したがって、原稿カバー５０と筐体２０との隙間１２０（図１参照）から原稿１００が落下することを防止できる。
また、ヒンジ側６０の外周部５４に原稿落下防止部材５６を設けているので、原稿マット５８から原稿落下防止部材５６を極力離すことができる。したがって、原稿マット５８が原稿台２２を覆うときに原稿落下防止部材５６が原稿台２２と干渉することを防止できる。
【００１８】
（第２実施例）
本発明の第２実施例を図５に示す。第１実施例と実質的に同一構成部分に同一符号を付す。
第２実施例のイメージセンサ７０の原稿カバー７２の外周部５４には、ヒンジ６０とヒンジ６０との間に３個の原稿落下防止部材７４が外周部５４に沿って原稿カバー７２の裏側に突出するように形成されている。ヒンジ６０と原稿落下防止部材７４、ならびに原稿落下防止部材７４同士の間隔が狭くなるので、原稿カバー７２と筐体２０との隙間１２０から原稿が落下することを防止できる。
ヒンジ６０と原稿落下防止部材７４、ならびに原稿落下防止部材７４同士の間隔が狭くなるのであれば，原稿落下防止部材の個数と幅は適宜設定すればよい。
【００１９】
（第３実施例）
本発明の第３実施例を図６に示す。第１実施例と実質的に同一構成部分に同一符号を付す。
第３実施例のイメージセンサ８０の筐体８２は、原稿カバー５０の後方にまで延びている。このように原稿カバー５０の後方にまで筐体８２が延びていても、原稿カバー５０を開くときに原稿マット５８に原稿１００が吸い付けられ原稿台８４から原稿１００が離れると、原稿カバー５０が原稿台８４に対し傾斜している状態では、原稿カバー５０と筐体８２との隙間から原稿１００が落下しようとすことがある。しかし第３実施例では、第１実施例と同様に、原稿カバー５０のカバー本体５２の原稿台８４側の外周部５４から原稿台８４側に突出する原稿落下防止部材５６が形成されているので、原稿マット５８に沿って落下する原稿１００は原稿落下防止部材５６に係止される。したがって、原稿カバー５０と筐体８２との隙間から原稿１００が落下することを防止できる。
【００２０】
（他の実施例）
上記複数の実施例では、原稿カバーの外周部から原稿カバーの裏側に突出する原稿落下防止部材を原稿カバーのカバー本体と一体に樹脂成形したが、本発明ではカバー本体と別部材で原稿落下防止部材を設けてもよい。
また、上記複数の実施例では、原稿カバーのカバー本体の外周部に原稿落下防止部材を設けたが、原稿カバーを開いたときに重力落下方向に位置する原稿マットの外側であれば、原稿マットとカバー本体の外周部との間に原稿落下防止部材を設けてもよい。また原稿落下防止部材は、所定の間隔をおいて離間しているヒンジの間だけではなく、両ヒンジの外側に設けてもよい。また、互いに離間した２個のヒンジではなく、例えばヒンジ側に位置する原稿カバーの外周部の中央部を１個のヒンジで揺動自在に支持してもよい。この場合、１個のヒンジの少なくとも一方側の原稿カバーに原稿落下防止部材を設ければよい。
【００２１】
また上記複数の実施例では、原稿と当接する原稿マットの当接面よりも落下防止部材の先端が原稿カバーの裏側に突出しているが、本発明では、原稿マットを開けるときに原稿マットの当接面に沿って落下する原稿を係止できるのであれば、原稿落下防止部材の先端は原稿マットの当接面と同じ位置か、あるいは原稿カバーのカバー本体側に凹んでいてもよい。
また上記複数の実施例では、原稿マットで原稿を押さえたが、原稿カバーのカバー本体の当接面で直接原稿を押さえてもよい。
【００２２】
また上記複数の実施例では、筐体側に反射原稿用光源を設置し反射原稿の画像データを出力するイメージスキャナについて説明したが、これ以外に本発明の画像読み取り装置として、原稿カバー側に透過原稿用光源を設置し透過原稿の画像データを出力するイメージスキャナ、あるいは反射原稿および透過原稿両用のイメージスキャナのいずれを用いてもよい。また本発明の画像読み取り装置はイメージスキャナに限るものではなく、原稿台に載置した原稿を走査し原稿の光学像を表す画像データを出力するのであれば、例えばファクシミリや複写機等に本発明を適用してもよい。
また、筐体に対し原稿カバーを揺動自在に支持する支持部材としてヒンジを用いたが、ヒンジ以外にも筐体に対し原稿カバーを揺動自在に支持できるのであればどのような構成の支持部材を用いてもよい。
【図面の簡単な説明】
【図１】（Ａ）は本発明の第１実施例のイメージスキャナを示す斜視図、（Ｂ）は（Ａ）のＢ方向矢視拡大図である。
【図２】（Ａ）原稿カバーを閉めた状態を示す図１のＢ方向から見た側面図であり、（Ｂ）は（Ａ）のＢ方向矢視図である。
【図３】原稿カバーを開く途中を示す側面図である。
【図４】原稿カバーを全開した状態を示す側面図である。
【図５】本発明の第２実施例のイメージスキャナを示す斜視図である。
【図６】本発明の第３実施例のイメージスキャナを示す側面図である。
【図７】従来のイメージスキャナを示す斜視図である。
【図８】図７のＶＩＩＩ方向から見た側面図である。
【符号の説明】
１０、７０、８０  イメージスキャナ、２０、８２  筐体、２２  原稿台、５０、７２  原稿カバー、５２  カバー本体、５４  外周部、５６、７４  原稿落下防止部材、５８  原稿マット、５９  当接面、６０  ヒンジ（支持部材）
【図１】
2005012246.tif 000003
【図２】
2005012246.tif 000004
【図３】
2005012246.tif 000005
【図４】
2005012246.tif 000006
【図５】
2005012246.tif 000007
【図６】
2005012246.tif 000008
【図７】
2005012246.tif 000009
【図８】
2005012246.tif 000010